(57)【要約】【課題】  複数機器間で個人の嗜好に合った設定を共有する。具体的には、個人が使用するＴＶを変更しても同一の視聴感を得ることができるようにする。【解決手段】  複数ＴＶ間で個人ごとに同一の個人設定をサーバで管理し、TV起動時にサーバから該設定を読み込む。【選択図】  図１
2009088627.tif 000002
【特許請求の範囲】
【請求項１】
配信される映像や音声情報を受信する映像音声受信手段と、
前記映像音声受信手段で受信した映像を復号及び調整し、映像再生データを生成する映像再生手段と、
前記映像音声受信手段で受信した音声を復号及び調整し、音声再生データを生成する音声再生手段と、
前記映像再生手段や前記音声再生手段で復号及び調整を行う際に使用する再生パラメータと、
ユーザを特定し機器操作を受け付けるための操作手段と、
ユーザ特定情報と共に前記再生パラメータを送受信する通信手段と、
前記操作手段と前記通信手段を通じて、再生パラメータを変更するパラメータ操作手段を具備し、
起動時にユーザの特定を行い、ユーザ固有の再生パラメータを通信手段により取得し、パラメータ操作手段により再生パラメータに設定することを特徴とする視聴装置。
【請求項２】
請求項１に記載の視聴装置において、ユーザの機器操作によって、再生パラメータが変更されるたびに、前記通信手段によって変更後の再生パラメータ値を通知することを特徴とする視聴装置。
【請求項３】
請求項１に記載の視聴装置において、ユーザの機器操作によって、再生パラメータが変更された場合、所定のタイミングで前記通信手段によって変更後の再生パラメータ値を通知することを特徴とする視聴装置。
【請求項４】
請求項１に記載の視聴装置において、ユーザの機器操作によって、再生パラメータが変更された場合、ユーザの指示に応じて前記通信手段によって変更後の再生パラメータ値を通知することを特徴とする視聴装置。
【請求項５】
請求項１〜請求項４のいずれかに記載の視聴装置において、再生パラメータ値を機器固有値から共通値、もしくは共通値から機器固有の値へ変換するための共通値−固有値変換テーブルを具備し、
前記パラメータ操作手段が通信手段を通じて再生パラメータを送受信する場合には、共通値−固有値変換テーブルで変換した値で再生パラメータを送受信することを特徴とする視聴装置。
【請求項６】
ユーザ固有の機器設定値を管理するパラメータ管理手段であって、
ユーザ特定情報と共に前記視聴装置の再生パラメータを送受信するパラメータ通信手段と、
前記再生パラメータを、ユーザ特定情報に関連付けて管理する個人パラメータ制御手段と、
前記ユーザ特定情報に関連付けられて管理される個人パラメータを記憶する記憶手段とを具備し、
再生パラメータの特定値の更新、もしくはユーザに関連付けられた全パラメータの更新、もしくは再生パラメータの特定値の通知、もしくはユーザに関連付けられた全パラメータの通知を行うことを特徴とする、パラメータ管理手段。
【請求項７】
請求項１〜請求項５のいずれかに記載の視聴装置を複数備え、請求項６に記載のパラメータ管理手段とから構成されことを特徴とする視聴システム。
【請求項８】
請求項７に記載の視聴システムにおいて、前記視聴装置の再生パラメータが変更された場合は、すべてのパラメータ管理手段を更新することを特徴とする視聴システム。
【請求項９】
請求項７に記載の視聴システムにおいて、前記視聴装置の再生パラメータが変更された場合は、ユーザにより指定されたパラメータ管理手段を更新することを特徴とする視聴システム。
【請求項１０】
請求項７に記載の視聴システムにおいて、前記視聴装置は、ユーザにより指定されたパラメータ管理手段で管理されている再生パラメータで、前記視聴装置の再生パラメータを更新することを特徴とする視聴システム。
【請求項１１】
請求項７〜請求項１０のいずれかに記載の視聴システムにおいて、前記パラメータ管理手段は、前記視聴装置に含まれることを特徴とする視聴システム。
【請求項１２】
請求項７〜請求項１０のいずれかに記載の視聴システムにおいて、前記視聴装置の操作手段とは、持ち運び可能なリモコン装置であり、かつ、前記パラメータ管理手段は前記リモコン装置に含まれることを特徴とする視聴システム。
【発明の詳細な説明】
【技術分野】
【０００１】
本発明は、ネットワークに接続された複数の視聴装置間で、共通の視聴感を実現するための視聴システムに関する。
【背景技術】
【０００２】
従来、テレビ等の視聴システムには、明るさや色味や音量等の視聴に関する再生パラメータが多数存在する。ユーザは、映画やニュース、音楽番組等の番組の内容に応じて、好適な設定を行うことができる。
【０００３】
また、近年では一つの家庭に複数の視聴装置をもち、部屋毎に配置することも多くなっており、一人のユーザが複数の視聴装置で番組を楽しむ機会が増えている。
【０００４】
上記の例として、下記特許文献１をあげることが出来る。
【特許文献１】特開2006-042264号公報
【発明の開示】
【発明が解決しようとする課題】
【０００５】
ところが、このような再生パラメータは視聴装置個別に設定する必要があり、複数のユーザが複数の視聴装置を使用する場合には、使用するユーザが、自分の嗜好に応じた再生パラメータの設定を、視聴装置を使用するたびに個別に設定し直す必要があった。
【課題を解決するための手段】
【０００６】
本発明は、前記問題点を解決するために、配信される映像や音声情報を受信する映像音声受信手段と、前記映像音声受信手段で受信した映像を復号及び調整し、映像再生データを生成する映像再生手段と、前記映像音声受信手段で受信した音声を復号及び調整し、音声再生データを生成する音声再生手段と、前記映像再生手段や前記音声再生手段で復号及び調整を行う際に使用する再生パラメータと、ユーザを特定し機器操作を受け付けるための操作手段と、ユーザ特定情報と共に前記再生パラメータを送受信する通信手段と、前記操作手段と前記通信手段を通じて、再生パラメータを変更するパラメータ操作手段を具備し、起動時にユーザの特定を行い、ユーザ固有の再生パラメータを通信手段により取得し、パラメータ操作手段により再生パラメータに設定することを特徴とする。
【０００７】
本発明は、前記問題点を解決するために、配信される映像や音声情報を受信する映像音声受信手段と、前記映像音声受信手段で受信した映像を復号及び調整し、映像再生データを生成する映像再生手段と、前記映像音声受信手段で受信した音声を復号及び調整し、音声再生データを生成する音声再生手段と、前記映像再生手段や前記音声再生手段で復号及び調整を行う際に使用する再生パラメータと、ユーザを特定し機器操作を受け付けるための操作手段と、ユーザ特定情報と共に前記再生パラメータを送受信する通信手段と、前記操作手段と前記通信手段を通じて、再生パラメータを変更するパラメータ操作手段を具備し、ユーザの機器操作によって、再生パラメータが変更されるたびに、前記通信手段によって変更後の再生パラメータ値を通知することを特徴とする。
【０００８】
また、本発明は、前記問題点を解決するために、配信される映像や音声情報を受信する映像音声受信手段と、前記映像音声受信手段で受信した映像を復号及び調整し、映像再生データを生成する映像再生手段と、前記映像音声受信手段で受信した音声を復号及び調整し、音声再生データを生成する音声再生手段と、前記映像再生手段や前記音声再生手段で復号及び調整を行う際に使用する再生パラメータと、ユーザを特定し機器操作を受け付けるための操作手段と、ユーザ特定情報と共に前記再生パラメータを送受信する通信手段と、前記操作手段と前記通信手段を通じて、再生パラメータを変更するパラメータ操作手段を具備し、ユーザの機器操作によって、再生パラメータが変更された場合、所定のタイミングで前記通信手段によって変更後の再生パラメータ値を通知することを特徴とする。
【０００９】
また、本発明は、前記問題点を解決するために、配信される映像や音声情報を受信する映像音声受信手段と、前記映像音声受信手段で受信した映像を復号及び調整し、映像再生データを生成する映像再生手段と、前記映像音声受信手段で受信した音声を復号及び調整し、音声再生データを生成する音声再生手段と、前記映像再生手段や前記音声再生手段で復号及び調整を行う際に使用する再生パラメータと、ユーザを特定し機器操作を受け付けるための操作手段と、ユーザ特定情報と共に前記再生パラメータを送受信する通信手段と、前記操作手段と前記通信手段を通じて、再生パラメータを変更するパラメータ操作手段を具備し、ユーザの機器操作によって、再生パラメータが変更された場合、ユーザの指示に応じて前記通信手段によって変更後の再生パラメータ値を通知することを特徴とする。
【００１０】
また、本発明は、前記問題点を解決するために、配信される映像や音声情報を受信する映像音声受信手段と、前記映像音声受信手段で受信した映像を復号及び調整し、映像再生データを生成する映像再生手段と、前記映像音声受信手段で受信した音声を復号及び調整し、音声再生データを生成する音声再生手段と、前記映像再生手段や前記音声再生手段で復号及び調整を行う際に使用する再生パラメータと、ユーザを特定し機器操作を受け付けるための操作手段と、ユーザ特定情報と共に前記再生パラメータを送受信する通信手段と、前記操作手段と前記通信手段を通じて、再生パラメータを変更するパラメータ操作手段と、再生パラメータ値を機器固有値から共通値、もしくは共通値から機器固有の値へ変換するための共通値−固有値変換テーブルを具備し、前記パラメータ操作手段が通信手段を通じて再生パラメータを送受信する場合には、共通値−固有値変換テーブルで変換した値で再生パラメータを送受信することを特徴とする。
【００１１】
また、本発明は、ユーザ固有の機器設定値を管理するパラメータ管理手段であって、ユーザ特定情報と共に前記視聴装置の再生パラメータを送受信する通信手段と、前記再生パラメータを、ユーザ特定情報に関連付けて管理する個人パラメータ制御手段と、前記ユーザ特定情報に関連付けられて管理される個人パラメータを記憶する記憶手段とを具備し、再生パラメータの特定値の更新、もしくはユーザに関連付けられた全パラメータの更新、もしくは再生パラメータの特定値の通知、もしくはユーザに関連付けられた全パラメータの通知を行うことを特徴とする。
【００１２】
また、本発明は、複数の前記視聴装置と、一つの前記パラメータ管理手段とから構成されことを特徴とする。
【００１３】
また、本発明は、複数の前記視聴装置と、複数の前記パラメータ管理手段とから構成され、前記視聴装置の再生パラメータが変更された場合は、すべてのパラメータ管理手段を更新することを特徴とする。
【００１４】
また、本発明は、複数の前記視聴装置と、複数の前記パラメータ管理手段とから構成され、前記視聴装置の再生パラメータが変更された場合は、ユーザにより指定されたパラメータ管理手段を更新することを特徴とする。
【００１５】
また、本発明は、複数の前記視聴装置と、複数の前記パラメータ管理手段とから構成され、前記視聴装置は、ユーザにより指定されたパラメータ管理手段で管理されている再生パラメータで、前記視聴装置の再生パラメータを更新することを特徴とする。
【００１６】
また、本発明は、複数の前記視聴装置と、一つの前記パラメータ管理手段とから構成さる視聴システムにおいて、前記パラメータ管理手段は、前記視聴装置の一つに含まれることを特徴とする。
【００１７】
また、本発明は、複数の前記視聴装置と、一つの前記パラメータ管理手段とから構成さる視聴システムにおいて、前記視聴装置の操作手段とは、持ち運び可能なリモコン装置であり、かつ、前記パラメータ管理手段は前記リモコン装置に含まれることを特徴とする。
【発明の効果】
【００１８】
複数の視聴装置間で個人ごとに同一視聴感の設定を適用することを目的とし、これにより、個人が使用する視聴装置を変更しても同一の視聴感を得ることができる。
【発明を実施するための最良の形態】
【００１９】
次に、本発明の詳細を実施例の記述に従って説明する。
【００２０】
以下、図面を参照しながら本発明の好適な実施の形態を説明する。
【００２１】
（第１の実施の形態）
以下、本発明の第一の実施の形態を紹介する。図１は本第一の実施の形態に用いて好適な視聴装置の構成図１である。本実施の形態では操作手段（１０３）は視聴装置の各種パラメータを操作するものであり、例えば音声などのリモコンからダイレクトに操作されるものや、明るさや色味等の視聴装置のGUIから変更を行うものの変更操作を受けるものである。また、操作手段（１０３）は、ユーザIDの入力等の方法により個人を特定する情報を取得する。パラメータ操作手段（１０２）は、操作手段（１０３）における操作に応じて、再生パラメータ（１０４）の値を変更する。通信手段（１０１）は、パラメータ管理手段等との通信を行う。映像音声受信手段（１０９）は、映像と音声を受信するもので、放送波やVideo On Demand等の配信される映像音声情報を受信し、映像データと音声データに分割し、音声再生手段（１０６）と映像再生手段（１０７）へそれぞれ音声データと映像データを伝達する。音声再生手段（１０６）は、伝達された音声データを復号し、再生パラメータ（１０４）に従って機器に応じた調整を行い、スピーカ（１０５）へ伝達する。スピーカ（１０５）は音声データを音として再現することでユーザへ音声を提供する。映像再生手段（１０７）は、伝達された映像データを復号し、再生パラメータ（１０４）に従って機器に応じた調整を行い、表示パネル（１０８）へ伝達する。表示パネル（１０８）は映像データを表示することでユーザへ映像を提供する。
【００２２】
図２はパラメータ管理手段の構成図である。パラメータ通信手段（２０１）にて、視聴装置の通信手段（１０１）と通信を行い、個人特定情報により特定される再生パラメータの送受信を行う。パラメータ制御手段（２０２）は、パラメータ通信手段（２０１）にて通信される個人特定情報に応じて再生パラメータを管理している。記憶装置（２０３）は、再生パラメータと個人特定情報を関連付けて記憶するもので、パラメータ制御手段（２０２）は、パラメータの更新時に記憶装置（２０３）の情報を更新し、パラメータ取得時は、記憶装置（２０３）の情報を読み出してパラメータ通信手段（２０１）を用いて通知する。
【００２３】
図３は視聴装置とパラメータ管理手段の接続構成例を示す図である。視聴装置１，２，３（３０１，３０２，３０３）は図１で示した視聴装置である。リモコン装置（３０５，３０６）は視聴装置１，２，３を共通で操作できるものであり、ユーザ一人が一つのリモコン装置をもつものとする。また、リモコン装置ごとに個別IDをもちリモコン操作を行う場合は、本個別IDと共に視聴装置に対して操作コマンドの通知を行う、このリモコン装置（３０５，３０６）で視聴装置１，２，３（３０１，３０２，３０３）を操作する場合は、本個別IDを個人IDとして利用することで個人の認証を行う。なお、認証の詳細については深く触れないが、この個人IDにより既知の認証手段によって個人を特定する事が出来る。
【００２４】
図４は再生パラメータの変更手順１である。ユーザがリモコン装置（３０５）を使用して視聴装置１（３０１）の再生パラメータを変更した場合に、操作手段（１０３）にてユーザ操作の検出（４０１）を行う。次のそのユーザ操作が、例えば音量の変更やチャンネル選択もしくは明るさの調整といった再生パラメータに対する操作かどうかの判定を行う（４０２）。時刻の表示といった再生パラメータに対する操作ではない場合は、その他の操作処理（４０８）へ遷移し、再生パラメータに対する操作の場合は対象パラメータの特定（４０３）へ遷移する。続いて、対象となるパラメータに対し、変更を行うかどうかの判定を行う（４０４）。現在の設定値を表示するといった操作の場合は、変更以外の操作処理（４０９）へ遷移し、再生パラメータに対する変更を行う場合は、再生パラメータ更新（４０５）へ遷移する。再生パラメータの更新では、再生パラメータ（１０４）が更新され、その値が音声再生手段（１０６）及び映像再生手段（１０７）に反映されることで、実際の表示パネル（１０８）の映像や、スピーカ（１０５）の出力音声が変化する。さらに、パラメータ管理手段へ変更を通知（４０６）へ遷移し、視聴装置１の通信手段（１０１）から、パラメータ更新通知として、個人IDと共に変更された再生パラメータの種類とパラメータ値をパラメータ管理手段（３０４）へ通知するために送信する。
【００２５】
続いて、パラメータ管理手段のパラメータ更新処理処理手順について説明する。図５は再生パラメータが変更されたときのパラメータ更新処理手順である。パラメータ管理手段のパラメータ通信手段（２０１）が視聴装置からのパラメータ更新通知を受信した場合は、パラメータ更新通知検出（５０１）から、パラメータ更新処理手順を開始する。まず最初に受信したパラメータ更新通知に含まれる個人IDから個人を特定する（５０２）。続いて更新されたパラメータの種類と値をパラメータ更新通知から抽出し、パラメータの種類に応じた項目の値を、指定されたパラメータ値で更新する（５０３）。更新されたパラメータ値は、個人別に判別可能な形式で記憶装置（２０３）に記憶し処理を終了する（５０４）。
【００２６】
次に、視聴装置を起動する際にパラメータ管理手段から再生パラメータを取得し、表示装置の再生パラメータへ反映する手順を図６を用いて説明する。リモコン装置（３０５）から、視聴装置２を起動した場合、リモコン装置の個別IDと共に起動コマンドがリモコン装置（３０５）から視聴装置２へ送信される。視聴装置２は受信した個別IDを抽出し（６０２）、パラメータ管理手段にて管理されているかどうかをパラメータ管理手段（３０４）へ問い合わせる（６０３）。パラメータ管理手段にて当該個別IDが管理されているかを判断し（６０４）し、管理されていない場合は、再生パラメータの取得処理を終了し（６０７）、既設定の再生パラメータを適用し起動する。当該個別IDが管理されている場合は、パラメータ管理手段から、再生パラメータを取得する（６０５）。その際、表示装置２が必要とする再生パラメータを個別で取得する方法と、パラメータ管理手段で管理されているパラメータ項目すべてを一括取得し、表示装置２が必要とするパラメータのみ使用する方法のどちらを行っても何ら問題はない。続いて、取得した各パラメータを再生パラメータへ反映して（６０６）再生パラメータ取得手順を終了し（６０７）起動する。
【００２７】
以上により、視聴装置１で行った各種の再生パラメータの変更と同じ変更を視聴装置２でも再現できるので、例え使用者が視聴装置を変えて視聴を継続した場合でも、同一の視聴感を再現することができる。
【００２８】
（第２の実施の形態）
次に、本発明の第二の実施の形態を紹介する。図７は本第一の実施の形態に用いて好適な視聴装置の構成図２である。図１と同じ構成には同じ図番号を用い説明を割愛する。また、パラメータ管理手段の構成図、接続構成例、パラメータ管理手段のパラメータ更新処理手順は実施形態１と同じである。
【００２９】
共通値-固有値変換手段（７１０）は、視聴装置１，２，３固有の再生パラメータ値を、共通で扱える共通値に変換する、また逆に共通値を視聴装置固有の値に変換するものである。例えば、視聴装置１（３０１）に再生パラメータとして音量を５に設定したとしても、同等の音量が視聴装置２（３０２）の再生パラメータの音量を５に設定することで再生できるとは限らない。そこで、再生パラメータの各項目を共通値で表現し、視聴装置固有のパラメータ値が前記共通値の何に該当するかを特定する。パラメータ管理手段へ通知するパラメータ値は、この共通値を使用する。
【００３０】
次に、本第二の実施形態における再生パラメータの変更手順２を図８に示す。図４の再生パラメータの変更手順１と同じ手順を行う部分は同じ図番号で記述し説明を割愛する。
【００３１】
本手順においては、再生パラメータの変更手順１と同じ手順を進め、パラメータ管理手段へ変更を通知（４０６）する前に、固有値-共通値変換を行い（８１０）、パラメータ管理手段へ変更を通知（４０６）する際には、視聴装置１の通信手段（１０１）から、パラメータ更新通知として、個人IDと共に変更された再生パラメータの種類と共通値に変更されたパラメータ値をパラメータ管理手段（３０４）へ通知するために送信する。
【００３２】
さらに、本第二の実施形態における視聴装置の再生パラメータ取得手段２を説明する。図６の視聴装置の再生パラメータ取得手順１と同じ手順を行う部分は同じ図番号で記述し説明を割愛する。
【００３３】
本手順においては、再生パラメータ取得手順１と同じ手順を進め、取得した各パラメータを再生パラメータへ反映する（６０６）前に、共通値-固有値変換を行い、視聴装置に固有の再生パラメータへ変換したあと、各パラメータを再生パラメータへ反映する。
【００３４】
以上により、再生パラメータを一度共通値に変換してパラメータ管理手段で管理し、パラメータ管理手段からパラメータを取得する場合には、再度固有に値戻して使用するため、例え各パラメータの値に対する視聴感が違う視聴機器であっても、同様の視聴感で映像音声を再生することが可能となる。
【００３５】
また本発明において、パラメータ管理手段（３０４）が、視聴装置１（３０１）もしくは視聴装置２（３０２）もしくは視聴装置３（３０３）の一部の機能として実現されていてもなんら問題はないことは言うまでもない。またユーザの所定の操作によって、視聴装置に設定されている現在の再生パラメータ値を一括してパラメータ管理手段に対して更新したとしても何ら問題はない。
【００３６】
なお、図９は視聴装置の再生パラメータ取得手順２を示す図である。
【図面の簡単な説明】
【００３７】
【図１】視聴装置の構成図１
【図２】パラメータ管理手段の構成図
【図３】接続構成例
【図４】視聴装置の再生パラメータ変更手順１
【図５】パラメータ管理手段のパラメータ更新処理手順
【図６】視聴装置の再生パラメータ取得手順１
【図７】視聴装置の構成図２
【図８】視聴装置の再生パラメータ変更手順２
【図９】視聴装置の再生パラメータ取得手順２
【図１】
2009088627.tif 000003
【図２】
2009088627.tif 000004
【図３】
2009088627.tif 000005
【図４】
2009088627.tif 000006
【図５】
2009088627.tif 000007
【図６】
2009088627.tif 000008
【図７】
2009088627.tif 000009
【図８】
2009088627.tif 000010
【図９】
2009088627.tif 000011